(57)【要約】      （修正有）【課題】サービスの利用申込に利用可能な個人情報を効率よく蓄積する情報提供プログラム、及び情報提供方法を提供する。【解決手段】情報提供プログラムは、サービスの利用申請を受け付ける端末１０から、利用申請に際して取得したサービスの利用者に関する情報に情報の項目を対応付けた利用者情報を受信するステップＳ３と、個人情報を保持するサーバが個人情報の記録に使用する１つ以上のテーブル中の項目に合わせて、利用者情報を１つ以上のテーブルに記録可能な形式に変換した変換データを生成するステップＳ４と、サーバに変換データを送信するステップＳ５と、を備える。【選択図】図１
2020030656.tif 000002
【特許請求の範囲】
【請求項１】
サービスの利用申請を受け付ける端末から、前記利用申請に際して取得した前記サービスの利用者に関する情報に前記情報の項目を対応付けた利用者情報を受信し、
個人情報を保持するサーバが前記個人情報の記録に使用する１つ以上のテーブル中の項目に合わせて、前記利用者情報を前記１つ以上のテーブルに記録可能な形式に変換した変換データを生成し、
前記サーバに前記変換データを送信する
処理をコンピュータに実行させることを特徴とする情報提供プログラム。
【請求項２】
前記利用者が行う他の利用申請に使用する前記利用者の個人情報の取得要求を、前記利用者の識別情報と共に、前記端末から受信すると、前記識別情報に対応付けて前記サーバが保持している情報と当該情報に対応する項目の組み合わせを、前記利用者の個人情報として、前記サーバから取得し、
前記利用者の個人情報として取得した情報を、前記他の利用申請に使用される情報の項目の各々に対応付けた対応データを生成し、
前記対応データを前記端末に送信する
処理をさらに前記コンピュータに実行させることを特徴とする請求項１に記載の情報提供プログラム。
【請求項３】
前記利用者の個人情報として前記サーバから取得する前記組み合わせは、当該組み合わせに含まれる項目の情報を公開するかを表わす設定情報を含み、
前記設定情報が公開に設定されている公開情報のみを前記対応データとして送信する、
処理をさらに前記コンピュータに実行させることを特徴とする、請求項２に記載の情報提供プログラム。
【請求項４】
前記他の利用申請で提供されるサービスの種類を識別する種別情報を、前記取得要求と共に前記端末から受信し、
前記種別情報に対応付けられた項目について、前記サーバが前記識別情報に対応付けて保持している情報を、前記サーバから取得し、
前記サーバから取得した情報を用いて、前記対応データを生成する
処理を前記コンピュータに実行させることを特徴とする、請求項２または３に記載の情報提供プログラム。
【請求項５】
前記他の利用申請に際して前記端末に入力された前記利用者に関する情報に当該情報の項目を対応付けた他の利用者情報を、前記端末から受信し、
前記他の利用者情報を前記１つ以上のテーブルに記録可能な形式に変換した他の変換データを生成し、
前記他の変換データを前記識別情報と共に記録対象として前記サーバに送信する
処理を前記コンピュータに実行させることを特徴とする、請求項２〜４のいずれか１項に記載の情報提供プログラム。
【請求項６】
端末とサーバと通信可能な情報提供装置であって、
サービスの利用申請を受け付ける前記端末から、前記利用申請に際して取得した前記サービスの利用者に関する情報に前記情報の項目を対応付けた利用者情報を受信する通信部と、
個人情報を保持するサーバが前記個人情報の記録に使用する１つ以上のテーブル中の項目に合わせて、前記利用者情報を前記１つ以上のテーブルに記録可能な形式に変換した変換データを生成する制御を行う変換部とを備え、
前記通信部は、前記サーバに前記変換データを送信する
ことを特徴とする情報提供装置。
【請求項７】
サービスの利用申請を受け付ける端末から、前記利用申請に際して取得した前記サービスの利用者に関する情報に前記情報の項目を対応付けた利用者情報を受信し、
個人情報を保持するサーバが前記個人情報の記録に使用する１つ以上のテーブル中の項目に合わせて、前記利用者情報を前記１つ以上のテーブルに記録可能な形式に変換した変換データを生成し、
前記サーバに前記変換データを送信する
処理をコンピュータが実行することを特徴とする情報提供方法。
【発明の詳細な説明】
【技術分野】
【０００１】
本発明は、情報提供プログラム、情報提供装置、および、情報提供方法に関する。
【背景技術】
【０００２】
クレジットカードの発行などのサービスの申し込みの際に、書面による申込やＷＥＢ画面での情報入力などが行われることが多い。しかし、いずれの場合でも、ユーザが個人情報を記載する処理が発生してしまう。そこで、例えば、登録済みユーザについての個人情報を記憶した認証用データベースから個人情報を取得すると共に、取得した情報を手続のための電子フォームに自動入力する手続システムが提案されている（例えば、特許文献１）。
【先行技術文献】
【特許文献】
【０００３】
【特許文献１】特開２００３−３０５７３号
【発明の概要】
【発明が解決しようとする課題】
【０００４】
サーバが保持している個人情報を自動入力した電子フォームが生成されても、サービスの利用申請に使用される全ての項目の情報が自動入力されない場合がある。この場合、ユーザは、自動入力されていない項目については、入力処理を行うことになる。しかし、ユーザが電子フォームに入力した個人情報は、ユーザに関する個人情報を記憶しているサーバには入力されないので、サーバは、ユーザが入力した情報を記憶しない。このため、ユーザがあるサービスの利用申請の際に手動で入力した個人情報は、別のサービスの利用申請の際にも自動入力されず、手動での入力が再度、要求されることになるので、効率が悪い。
【０００５】
本発明は、１つの側面として、サービスの利用申込に利用可能な個人情報を効率よく蓄積することを目的とする。
【課題を解決するための手段】
【０００６】
ある１つの態様にかかる情報提供プログラムは、コンピュータで実行される。コンピュータは、サービスの利用申請を受け付ける端末から、前記利用申請に際して取得した前記サービスの利用者に関する情報に前記情報の項目を対応付けた利用者情報を受信する。コンピュータは、個人情報を保持するサーバが前記個人情報の記録に使用する１つ以上のテーブル中の項目に合わせて、前記利用者情報を前記１つ以上のテーブルに記録可能な形式に変換した変換データを生成する。コンピュータは、前記サーバに変換データを送信する。
【発明の効果】
【０００７】
サービスの利用申込に利用可能な個人情報を効率よく蓄積することができる。
【図面の簡単な説明】
【０００８】
【図１】実施形態にかかる情報提供方法の例を説明するシーケンス図である。
【図２】情報提供方法が使用されるシステムの例を説明する図である。
【図３】中継サーバのハードウェア構成の例を説明する図である。
【図４】端末のハードウェア構成の例を説明する図である。
【図５】個人情報テーブルの例を説明する図である。
【図６】副情報テーブルの例を説明する図である。
【図７】副テーブルセットマスタの例を説明する図である。
【図８】中継サーバが保持するデータの例を説明する図である。
【図９】端末の表示例を説明する図である。
【図１０】申し込み画面の表示の際に行われる処理の例を説明するフローチャートである。
【図１１】中継サーバで行われる対応付けの例を説明する図である。
【図１２】対応データの例を説明する図である。
【図１３】申し込み画面の表示例を説明する図である。
【図１４】ＰＤＳへの情報の登録の申し込みの際に表示される画面の例を説明する図である。
【図１５】サービスの申し込みの際に得られたデータの例を説明する図である。
【図１６】中継サーバが生成するデータの例を説明する図である。
【図１７】ＰＤＳへの情報の登録の際に端末に表示される画面の例を説明する図である。
【図１８】データの取得および更新の例を説明する図である。
【図１９】ＰＤＳへの情報の登録の際に行われる処理の例を説明するフローチャートである。
【図２０】ＰＤＳに情報が登録されていない場合のサービスの申し込みの例を説明する図である。
【図２１】ＰＤＳへの情報の登録の際に端末に表示される画面の例を説明する図である。
【図２２】情報提供方法が使用されるシステムの例を説明する図である。
【発明を実施するための形態】
【０００９】
図１は、実施形態にかかる情報提供方法の例を説明するシーケンス図である。情報提供方法が適用されるシステムには、端末１０、中継サーバ２０、パーソナルデータストア（ＰＤＳ、Personal Data Store）サーバ５０が含まれる。ここで、端末１０は、サービスの申し込みを受け付け可能な任意の装置であるとする。ＰＤＳサーバ５０は、個人情報を保持すると共に、個人情報についての開示の可否の設定も記憶している。
【００１０】
端末１０は、利用者からの入力操作により、サービスの利用申請を受け付ける（ステップＳ１）。ここで、サービスの利用申請は、例えば、クレジットカードの発行の申し込み、保険契約の申し込み、物品の売買など、個人情報の入力が求められる任意の種類のものであり得る。端末１０は、サービスの利用申請を受け付けてから、ＰＤＳへの情報の登録の申し込みを受け付けたとする（ステップＳ２）。例えば、端末１０は、サービスの申し込みを受け付けた後で、ＰＤＳへの情報の登録をするかをユーザが選択するための選択画面を表示し、ユーザからの入力によって、ＰＤＳへの情報の登録の申し込みを受け付けることができる。ＰＤＳへの情報の登録の申し込みを受け付けると、端末１０は、サービスの利用申請の際に入力された利用者の個人情報に、各々の情報の種類を示す項目を対応付けた情報（利用者情報）を、中継サーバ２０に送信する（ステップＳ３）。
【００１１】
中継サーバ２０は、利用者情報を受信すると、利用者情報をＰＤＳに記録可能な形式に変換したデータ（変換データ）を生成する（ステップＳ４）。中継サーバ２０は、変換データをＰＤＳサーバ５０に送信すると共に、変換データに含まれている情報の公開の可否の設定を利用者に設定させるために、ＰＤＳサーバ５０に端末との間で通信を行うことを要求する（ステップＳ５）。
【００１２】
ＰＤＳサーバ５０は、中継サーバ２０からの要求に応じて、端末１０との間の通信を開始する（ステップＳ６）。ＰＤＳサーバ５０は、変換データに含まれる個人情報についての公開の可否の設定の情報を端末１０から取得すると、取得した情報にそって、個人情報の公開の可否を記憶する。
【００１３】
このように、実施形態にかかる情報提供方法では、サービスの利用申請を行う利用者の希望があれば、端末１０を介して入力された個人情報がＰＤＳに送信され、中継サーバ２０がＰＤＳサーバ５０への登録のためのデータ形式の変換処理を行う。ＰＤＳサーバ５０は、通知された変換データ中の個人情報を記憶し、以後の利用申請等に端末１０からデータを要求された場合、新たに記憶した情報も端末１０に提供可能である。従って、ＰＤＳサーバ５０が新たに記憶した情報を含む利用申請用の入力フォームが生成されると、利用者は、新たにＰＤＳサーバ５０に登録した情報を入力フォーム等に繰り返して入力しなくても良くなる。このため、実施形態にかかる方法により、サービスの利用申込の支援を効率化できる。
【００１４】
なお、図１に示す処理は一例であり、実装に応じて変更され得る。例えば、中継サーバ２０が個人情報の公開についての設定のための通信を端末１０との間で開始することをＰＤＳサーバ５０に要求する処理をオプションとすることができる。また、ステップＳ２のＰＤＳへの登録の申し込みを行わずに、端末１０で得られた利用者情報が中継サーバ２０に送信されるように設定しても良い。ステップＳ２の処理が行われない場合、利用者が個別に利用申請を行う処理も簡略化でき、利用者の利便性をさらに向上できる。
【００１５】
＜装置構成＞
図２は、情報提供方法が使用されるシステムの例を説明する図である。図２に示すシステムには、端末１０、中継サーバ２０、および、ＰＤＳサーバ５０が含まれる。端末１０は、通信部１１、制御部１２、記憶部１３を備える。通信部１１は、中継サーバ２０やＰＤＳサーバ５０との通信を行う。制御部１２は、サービスの利用申請やＰＤＳへの登録の際に使用される情報の取得や、端末１０が備える画面への表示などの処理を行う。記憶部１３は、端末１０に入力されたデータや受信データ等のデータを保持する。
【００１６】
ＰＤＳサーバ５０は、通信部５１、制御部６０、記憶部７０を備える。通信部５１は、端末１０や中継サーバ２０と通信する。制御部６０は、認証部６１と登録処理部６２を有する。記憶部７０は、個人情報テーブル７１、副情報テーブル７２、副テーブルセットマスタ７３を保持する。ＰＤＳサーバ５０は、個人情報テーブル７１か副情報テーブル７２に個人情報を保持する。個人情報テーブル７１は、利用者の氏名など、様々なサービスの利用申請などの際に汎用的に使用され得る情報を格納する。副情報テーブル７２は、例えば、利用申請が可能なサービスのうちの一部のサービスの利用申請の際に使用され得る個人情報を保持する。副テーブルセットマスタ７３は、副情報テーブル７２として記憶されているテーブルの各々が、どのサービスの利用申請に使用されるかを表わす情報である。個人情報テーブル７１、副情報テーブル７２、および、副テーブルセットマスタ７３の例は後述する。
【００１７】
認証部６１は、個人情報テーブル７１や副情報テーブル７２に対するアクセスを許可するかを決定するための認証処理を行う。登録処理部６２は、中継サーバ２０から取得した変換データを個人情報テーブル７１や副情報テーブル７２に登録する。
【００１８】
中継サーバ２０は、通信部２１、制御部３０、および、記憶部４０を備える。通信部２１は、端末１０やＰＤＳサーバ５０と通信する。記憶部４０は、データセットマスタ４１とマスタテーブル４２を有する。マスタテーブル４２は、利用申し込みの対象となっているサービスの種類ごとに設定され、対応する利用申し込みで使用される情報の項目を保持する。データセットマスタ４１は、利用申し込みの対象となっているサービスの種類ごとに、いずれのマスタテーブル４２を使用するかを特定する際に使用される。
【００１９】
制御部３０は、取得部３１と変換部３２を有する。取得部３１は、端末１０での利用申請に使用される個人情報を、ＰＤＳサーバ５０から取得する。取得部３１は、さらに、ＰＤＳサーバ５０から取得した情報を、利用申請に使用される電子フォーム中の項目に対応付けることにより、端末１０で使用される対応データを生成する。さらに、変換部３２は、端末１０から受信した利用者情報を、ＰＤＳサーバ５０で記憶される形式に変換する。
【００２０】
図３は、中継サーバ２０のハードウェア構成の例を説明する図である。中継サーバ２０は、プロセッサ１０１、メモリ１０２、バス１０３、ネットワーク接続装置１０４を備える。プロセッサ１０１は、任意の処理回路であり、例えば、ＣＰＵ（Central Processing Unit）とすることができる。プロセッサ１０１は、メモリ１０２をワーキングメモリとして使用して、プログラムを実行することにより、様々な処理を実行する。メモリ１０２には、ＲＡＭ（Random Access Memory）が含まれ、さらに、ＲＯＭ（Read Only Memory）等の不揮発性のメモリも含まれる。メモリ１０２は、プログラムやプロセッサ１０１での処理に使用されるデータの格納に使用される。ネットワーク接続装置１０４は、ネットワークを介した他の装置との通信に使用される。バス１０３は、プロセッサ１０１、メモリ１０２、ネットワーク接続装置１０４を、互いにデータの入出力が可能になるように接続する。
【００２１】
中継サーバ２０において、プロセッサ１０１は制御部３０として動作する。メモリ１０２は、記憶部４０として動作する。さらに、ネットワーク接続装置１０４は通信部２１として動作する。中継サーバ２０は、コンピュータやサーバ装置により実現され得る。
【００２２】
ＰＤＳサーバ５０のハードウェア構成も中継サーバ２０と同様である。ＰＤＳサーバ５０において、プロセッサ１０１は制御部６０として動作する。メモリ１０２は、記憶部７０として動作する。さらに、ネットワーク接続装置１０４は通信部５１として動作する。
【００２３】
図４は、端末１０のハードウェア構成の例を説明する図である。端末１０は、プロセッサ１１１、メモリ１１２、入力装置１１３、表示装置１１４、無線処理回路１１６、バス１１７、生体情報リーダ１１８を備える。バス１１７は、プロセッサ１１１、メモリ１１２、入力装置１１３、表示装置１１４、無線処理回路１１６、生体情報リーダ１１８をデータの入出力が可能なように接続する。プロセッサ１１１は、任意の処理回路であり、例えば、ＣＰＵであっても良い。メモリ１１２は、ＲＯＭとＲＡＭを備えるものとする。
【００２４】
端末１０において、メモリ１１２は、記憶部１３として動作する。端末１０において、プロセッサ１１１は、ＲＯＭに記録されているプログラムを読み込んで、制御部１２を実現する。入力装置１１３は、タッチパネルやボタンなど、情報の入力に使用される任意の装置であり、表示装置１１４は、ディスプレイを含む表示デバイスである。無線処理回路１１６は、端末１０が通信する際の無線通信の処理を行う。端末１０の通信部１１は、無線処理回路１１６によって実現される。生体情報リーダ１１８は、認証処理などに使用される生体情報の読み取りを行う。端末１０は、スマートフォンを含む携帯電話端末、タブレット、コンピュータ等として実現される。
【００２５】
＜各装置が保持する情報の例＞
以下、各実施形態で行われる処理の詳細を説明する前に、システム中に含まれる中継サーバ２０やＰＤＳサーバ５０が保持する情報について、具体例を挙げて説明する。
【００２６】
図５は、個人情報テーブル７１の例を説明する図である。個人情報テーブル７１は、各種サービスの利用申し込みに汎用的に使用され得る個人情報を、ＰＤＳサーバ５０が保持するために使用される。個人情報テーブル７１は、利用者ごとに１つ生成される。個人情報テーブル７１は、カラム番号（カラムＮｏ）、個人情報項目、個人情報、公開設定情報を含む。カラム番号は、情報や情報項目の指定の際に使用される番号である。個人情報項目に対応付けて、その項目の情報が格納される。公開設定情報は、情報を端末１０などに公開可能であるかを表わす公開条件である。公開設定情報は、「公開」、「非公開」、および、「未登録」のいずれかに設定される。「公開」に設定された情報は、端末１０などの要求に応じて端末１０に送信されるので、端末１０の画面に表示される利用申請用の電子フォームに、適宜、埋め込まれる。一方、「非公開」に設定された情報は、ＰＤＳサーバ５０は個人情報として保持するものの、端末１０へは通知されない。このため、「非公開」に設定されている情報は、端末１０の画面に表示される利用申請用の電子フォームには記載されない。ＰＤＳサーバ５０に情報が設定されていない項目については、公開設定情報は「未登録」に設定される。
【００２７】
個人情報テーブル７１には、１つのカラム番号に対応付けて１つの項目の個人情報と、その情報の公開の可否が設定されている。例えば、カラム番号＝０１には、利用者の姓として、「富士通」という情報が記録され、利用者の姓＝富士通という情報は端末１０等に公開することができるように設定されている。一方、カラム番号＝０６には、利用者の年収として、「６００万」という値が設定されているが、利用者の年収＝６００万という情報は、端末１０等に公開されないように設定されている。また、カラム番号＝２３に対応する項目は利用者の血液型であるが、ＰＤＳサーバ５０は、利用者の血液型の情報を保持していない。このため、カラム番号＝２３では、公開設定情報は「未登録」に設定されている。
【００２８】
個人情報テーブル７１には、さらに、認証部６１が認証処理に使用する認証情報も含められている。例えば、カラム番号＝００には、利用者の静脈情報が記録されている。このため、利用者の情報の照会を要求する端末１０から、認証のために利用者の静脈情報を受信すると、認証部６１は、受信した静脈情報とカラム番号＝００に登録されている静脈情報を照合して認証処理を行う。なお、静脈情報以外の情報も認証に使用され得る。例えば、端末１０から認証処理に使用する情報として利用者の生年月日を受信した場合、認証部６１は、カラム番号＝０４の生年月日の情報を、受信した情報と照合することで認証処理を行うことができる。
【００２９】
図６は、副情報テーブル７２の例を説明する図である。副情報テーブル７２は、特定のサービスの利用申し込みに使用され得る個人情報を、ＰＤＳサーバ５０が保持するために使用される。副情報テーブル７２は、利用者ごとに、副テーブルセットマスタ７３（図７）に設定されている項目数以下の数が生成される。図６の例では、ユーザＩＤ＝ＩＤＡで識別されるユーザについて、個人情報テーブル７１ａ〜７２ｃの３つの副情報テーブル７２が生成されている。副情報テーブル７２にも、カラム番号、個人情報項目、個人情報、公開設定情報が含まれる。
【００３０】
副情報テーブル７２には、例えば、サービスの利用申し込みの際にアンケートとして要求される情報が含まれていても良い。例えば、副情報テーブル７２ａは、Ａ社のクレジットカードの発行の申し込みの際に使用される情報を記録した副情報テーブル７２である。副情報テーブル７２ａには、ユーザＩＤ、よく利用する支店名、よく利用するカード会社名の３つの項目が含まれる。一方、Ｓ社のクレジットカードの発行の申し込みの際に使用される情報を記録した副情報テーブル７２ｂには、ユーザＩＤ、よく利用する支店名、よく利用するカード会社名、利用目的の４つの項目が含まれている。さらに、自動車保険の申し込みの際に参照される副情報テーブル７２ｃには、ユーザＩＤ、受け付け店舗、過去の保険適用回数の３つの項目が含まれている。
【００３１】
さらに、個々の副情報テーブル７２は、適用する副情報テーブル７２の選択に使用されるカテゴリ区分コードに対応付けられている。カテゴリ区分コードは、利用申請の対象となっているサービス等を一意に特定可能なコードである。図６の例では、副情報テーブル７２ａに対応付けられたカテゴリ区分コードは０１である。同様に、副情報テーブル７２ｂのカテゴリ区分コードは０２であり、副情報テーブル７２ｃのカテゴリ区分コードは０３である。
【００３２】
図７は、副テーブルセットマスタ７３の例を説明する図である。副テーブルセットマスタ７３は、個々のカテゴリ区分コードを、カテゴリ区分コード名称、および、カテゴリ区分コードに対応付けられた副情報テーブル７２の名称に対応付けている。例えば、カテゴリ区分コード＝０１に対応付けて、カテゴリ区分コード名称＝クレジットカード申し込み、副情報テーブル名称＝Ａ＿ＣＡＲＤ＿ＴＡＢＬＥが記録されている。ここで、副情報テーブル７２ａには、Ａ＿ＣＡＲＤ＿ＴＡＢＬＥという名称がつけられているとする。
【００３３】
同様に、カテゴリ区分コード＝０２に対応付けて、カテゴリ区分コード名称＝クレジットカード申し込み、副情報テーブル名称＝Ｓ＿ＣＡＲＤ＿ＴＡＢＬＥが記録されている。以下の説明では、副情報テーブル７２ｂには、Ｓ＿ＣＡＲＤ＿ＴＡＢＬＥという名称がつけられているとする。さらに、カテゴリ区分コード＝０３に対応付けて、カテゴリ区分コード名称＝自動車保険申し込み、副情報テーブル名称＝Ａ＿ＩＮＳ＿ＴＡＢＬＥが記録されている。また、副情報テーブル７２ｃには、Ａ＿ＩＮＳ＿ＴＡＢＬＥという名称がつけられているとする。
【００３４】
図８は、中継サーバ２０が保持するデータの例を説明する図である。中継サーバ２０が保持するデータセットマスタ４１は、個々のカテゴリ区分コードを、カテゴリ区分コード名称、および、カテゴリ区分コードに対応付けられたマスタテーブル４２の名称に対応付けている。例えば、図８中のマスタテーブル４２ａには、Ａ＿ＣＡＲＤ＿ＭＡＳＴＥＲという名称がつけられているとする。図８のデータセットマスタ４１では、カテゴリ区分コード＝０１に対して、カテゴリ区分コード名称＝クレジットカード申し込みという情報と、副テーブル名称＝Ａ＿ＣＡＲＤ＿ＭＡＳＴＥＲという情報が対応付けられている。従って、カテゴリ区分コード＝０１が指定された場合、中継サーバ２０では、マスタテーブル４２ａが使用される。
【００３５】
マスタテーブル４２は、各サービスの利用申請の際に使用される電子フォームに含まれる申込み項目と、その項目に対応付けられたデータが個人情報テーブル７１のいずれのカラムに記録されているかを対応付ける。例えば、利用申請を行おうとする利用者の氏名は、個人情報テーブル７１のカラム番号＝０１の情報と、カラム番号＝０２の情報を合わせた情報である。このため、マスタテーブル４２ａにおいて、申し込み項目＝氏名に対して、カラムＮｏ＝０１、０２が対応付けられている。同様に、利用申請を行おうとする利用者の住所は、個人情報テーブル７１のカラム番号＝１１〜１３の情報を合わせたものである。なお、１つの情報が１つのカラムで記載される場合、マスタテーブル４２中の１つの項目に１つのカラム番号が対応付けられる。例えば、申し込み項目＝性別に対しては、カラムＮｏ＝０３が対応付けられている。
【００３６】
＜第１の実施形態＞
以下、Ａ社から発行されるクレジットカードの利用申請を行う場合を例として、第１の実施形態で行われる処理の詳細を、申込み画面の表示、サービスの利用申請、ＰＤＳへの情報の登録に分けて説明する。さらに、以下の記載では、端末１０は、Ａ社から発行されるクレジットカードの利用申請を行うために、Ａ社の系列の店舗などに設置されているものとする。さらに、Ａ社から発行されるクレジットカードの発行の申し込みには、カテゴリ区分コード＝０１が対応付けられており、端末１０は、カテゴリ区分コード＝０１のサービスの利用申請に使用されていることを記憶しているものとする。
【００３７】
（１）サービスの申込み画面の表示
図９は、サービスの利用申請を行う際の端末１０の表示例を説明する図である。端末１０は、予め、申し込みや認証処理の際に使用する画面の情報などを記憶部１３に記憶している。端末１０の制御部１２は、記憶部１３に記憶されている情報を読み込んで、図９の画面Ｇ１に示すような申し込み画面を表示することができる。画面Ｇ１には、申し込みの際に入力が求められる情報の入力欄と共に、申し込みボタンｂ１、および、ＰＤＳ取得ボタンｂ２が表示されている。ＰＤＳ取得ボタンｂ２が押し下されると、端末１０は、ＰＤＳサーバ５０に対して、申し込みフォームで入力が要求されている項目に対応する情報のうちで、ＰＤＳサーバ５０が保持している情報を要求するための処理を行う。ここでは、画面Ｇ１において、ＰＤＳ取得ボタンｂ２が押し下されたとする。
【００３８】
制御部１２は、ＰＤＳ取得ボタンｂ２が押し下されると、１段階目の認証処理に使用する画面Ｇ２を表示する。なお、図９の例では、２段階の認証処理が行われているが認証処理は実装に応じて変更され得る。
【００３９】
画面Ｇ２において利用者から生年月日の入力を受け付けると、制御部１２は、端末１０が備える生体情報リーダ１１８で利用者の静脈情報を読取るために、利用者に対して、端末１０に手を当てることを促す画面Ｇ３を表示する。利用者が手を生体情報リーダ１１８の読み取り部分に当てると、生体情報リーダ１１８は、利用者の静脈情報を読み取って、記憶部１３に記憶する。
【００４０】
図１０は、申し込み画面の表示の際に行われる処理の例を説明するフローチャートである。端末１０の制御部１２は、クレジットカード申し込み画面を表示する（ステップＳ１１）。クレジットカード申し込み画面の例を図９の画面Ｇ１に示す。制御部１２は、ＰＤＳからの情報取得が要求されたかを判定する（ステップＳ１２）。ＰＤＳからの情報取得が要求されていない場合、制御部１２は申し込み画面の表示に関する処理を終了する（ステップＳ１２でＮｏ）。
【００４１】
ＰＤＳからの情報取得が要求されると、制御部１２は、認証処理に使用する情報（キー情報）の取得のための処理を開始する（ステップＳ１２でＹｅｓ）。図１０では、図９を参照しながら説明したように、生年月日と静脈情報の２種類の情報がキー情報として使用されるものとする。制御部１２は、まず、１段階目の認証に使用するキー情報の入力画面Ｇ２を表示する（ステップＳ１３）。制御部１２は、入力画面Ｇ２の表示中に入力された情報を、記憶部１３に記憶する。さらに、制御部１２は、２段階目の認証処理に使用するキー情報の入力画面Ｇ３（図９）を表示する（ステップＳ１４）。入力画面Ｇ３の表示中に情報が入力されると、制御部１２は、記憶部１３を用いて、得られたキー情報、および、端末１０を用いて利用申請が行われているサービスを識別するカテゴリ区分コード（０１）を中継サーバ２０に送信する。
【００４２】
中継サーバ２０の通信部２１は、端末１０から受信した情報を、取得部３１に出力する。取得部３１は、キー情報とカテゴリ区分コードの組み合わせを記憶部４０に記憶する。キー情報とカテゴリ区分コードの組み合わせは、例えば、利用申請とＰＤＳサーバ５０への登録が終わるまで、記憶部４０に保持され得る。取得部３１は、通信部２１を介して、ＰＤＳサーバ５０に情報取得依頼を送信する（ステップＳ１５）。情報取得依頼には、端末１０から受信したキー情報とカテゴリ区分コードが含まれている。
【００４３】
ＰＤＳサーバ５０の通信部５１は、情報取得依頼を受信し、認証部６１に出力する。認証部６１は、中継サーバ２０から通知されたキー情報を含む個人情報テーブル７１を検索することにより、取得対象の情報を特定する（ステップＳ１６）。例えば、キー情報が生年月日と静脈情報である場合、認証部６１は、１つ以上の個人情報テーブル７１の各々について、カラム番号＝００の情報とカラム番号＝０４の情報の組み合わせを、キー情報と比較する。認証部６１は、カラム番号＝００の情報とカラム番号＝０４の情報の組み合わせが、中継サーバ２０から受信したキー情報に一致する個人情報テーブル７１を、利用申請を行っている利用者の情報を含む個人情報テーブル７１として特定する。さらに、認証部６１は、カテゴリ区分コードをキーとして、副テーブルセットマスタ７３（図７）を検索することにより、利用申請の際に使用される情報を含む副情報テーブル７２を特定する。ここでは、カテゴリ区分コード＝０１が中継サーバ２０から通知されているので、認証部６１は、Ａ＿ＣＡＲＤ＿ＴＡＢＬＥという名称の副情報テーブル７２のうち、中継サーバ２０から受信したキー情報を含むテーブルに含まれている情報も、中継サーバ２０に通知する情報として特定する。認証部６１は、利用申請を行っている利用者の情報として特定した情報を、通信部５１を介して中継サーバ２０に送信する。
【００４４】
中継サーバ２０の取得部３１は、通信部２１を介して、利用申請を行っている利用者に関する情報を取得する。取得部３１は、ＰＤＳサーバ５０から受信した情報を、端末１０での利用申請に使用される電子フォームに組み込むための処理を行う。このとき、取得部３１は、ステップＳ１５で受信したカテゴリ区分コードを用いて、データセットマスタ４１を参照することにより、使用するマスタテーブル４２を決定する（ステップＳ１７）。例えば、中継サーバ２０が図８に示すデータセットマスタ４１を保持している場合、取得部３１は、カテゴリ区分コード＝０１に対応付けられたＡ＿ＣＡＲＤ＿ＭＡＳＴＥＲという名称のマスタテーブル４２ａを使用することを決定する。取得部３１は、決定したマスタテーブル４２を用いて、ＰＤＳサーバ５０から取得したデータと、利用申請に用いられる電子フォーム中の項目を対応付ける（ステップＳ１８）。取得部３１は、対応付けが終わると、端末１０などに対して非公開とする情報を、対応付けた情報から削除することにより、利用者の個人情報を利用申請に使用される情報の項目の各々に対応付けた対応データを生成する。取得部３１は、生成した対応データを、通信部２１を介して、端末１０に送信する（ステップＳ１９）。
【００４５】
端末１０の制御部１２は、通信部１１を介して対応データを取得する。制御部１２は、対応データを含む申込み画面を、端末１０が備える表示装置に表示する（ステップＳ２０）。
【００４６】
（１．１）対応データの生成処理の詳細
以下、中継サーバ２０で行われる対応データの生成処理の例を詳細に説明する。対応データの生成処理は、図１０のステップＳ１８とＳ１９の処理に相当する。
【００４７】
中継サーバ２０中の取得部３１は、ＰＤＳサーバ５０から取得した情報を利用申請に使用する電子フォーム中の項目に対応付ける際に、マスタテーブル４２を使用する。取得部３１は、マスタテーブル４２を用いて、電子フォーム中の情報の項目と、各項目に対応する情報が個人情報テーブル７１や副情報テーブル７２のどのカラムに含まれているかを認識する。例えば、取得部３１は、ＰＤＳサーバ５０から、図５に示す個人情報テーブル７１と図６に示す副情報テーブル７２ａを取得したとする。また、図１０のステップＳ１７において、図８に示すマスタテーブル４２ａを使用することを決定したとする。すると、取得部３１は、マスタテーブル４２ａに含まれる個人情報項目の各々に対する値を、その個人情報項目に対応付けられているカラム番号を用いて個人情報テーブル７１や副情報テーブル７２に登録されている情報に設定する。
【００４８】
例えば、マスタテーブル４２ａでは、個人情報項目＝氏名に対して、カラム番号＝０１、０２が対応付けられている。このため、取得部３１は、個人情報テーブル７１のカラム番号＝０１、０２から、以下の情報を取得する。
【００４９】
カラム番号＝０１
個人情報項目＝姓
個人情報    ＝富士通
公開設定情報＝公開
カラム番号＝０２
個人情報項目＝名
個人情報    ＝太郎
公開設定情報＝公開
取得部３１は、取得した２つのカラムの情報をまとめるとともに、個人情報テーブル７１副情報テーブル７２のいずれから取得した情報であるかを対応付けることで、以下の情報を生成する。
【００５０】
カラム番号＝０１、０２
個人情報項目＝氏名
個人情報    ＝富士通太郎
公開設定情報＝公開
テーブル種別＝正
ここで、「テーブル種別」は、個人情報テーブル７１と副情報テーブル７２のいずれから取得した情報であるかを特定する情報である。個人情報テーブル７１から取得された情報では、テーブル種別＝正と設定される。一方、副情報テーブル７２から取得された情報では、テーブル種別＝副と設定される。
【００５１】
図１１は、中継サーバで行われる対応付けの例を説明する図である。図１１は、マスタテーブル４２ａに含まれる各項目について対応付けを行った結果、得られた情報を示す。個人情報項目＝氏名に対して得られた情報の例を図１１の表の３段目に示す。取得部３１は、副情報テーブル７２から取得する情報についても、個人情報テーブル７１から取得する情報に対する処理と同様に対応付けを行う。例えば、マスタテーブル４２ａ（図８）では、個人情報項目＝「よく利用する店舗名」に対して、カラム番号＝ＡＡが対応付けられている。カラム番号＝ＡＡは、個人情報テーブル７１に含まれていないので、取得部３１は、副情報テーブル７２ａの情報を参照する。取得部３１は、副情報テーブル７２ａのカラム番号＝ＡＡから、以下の情報を取得する。
【００５２】
カラム番号＝ＡＡ
個人情報項目＝よく利用する店舗名
個人情報    ＝未登録
公開設定情報＝未登録
そこで、取得部３１は、副情報テーブル７２ａから取得した情報に、テーブル種別を含めて、以下の情報を生成する。
【００５３】
カラム番号＝ＡＡ
個人情報項目＝よく利用する店舗名
個人情報    ＝未登録
公開設定情報＝未登録
テーブル種別＝副
このため、個人情報項目＝「よく利用する店舗名」に対して得られた情報は、図１１の表の下から２段目に示すとおりになる。
【００５４】
対応づけを行う段階では、取得部３１は、非公開の情報についても、公開設定情報が公開に指定されている情報と同様に扱う。例えば、マスタテーブル４２ａ（図８）では、個人情報項目＝「年収」に対して、カラム番号＝０６が対応付けられている。そこで、取得部３１は、個人情報テーブル７１を参照することにより取得した情報に、テーブル種別を指定する情報を対応付けることで、以下の情報を生成する。
【００５５】
カラム番号＝０６
個人情報項目＝年収
個人情報    ＝６００万
公開設定情報＝非公開
テーブル種別＝正
このため、年収に関する情報は、図１１の７段目に示すとおりになる。取得部３１は、他の項目についても同様の処理を行った結果、図１１に示す情報を生成したとする。取得部３１は、ＰＤＳサーバ５０への登録処理に備えて、対応づけにより得られた情報を、利用者のキー情報とカテゴリ区分コードの組み合わせに対応付けて、記憶部４０に格納する。
【００５６】
次に、取得部３１は、対応付けで得られた情報のうち、端末１０に公開する対象以外の情報を端末１０に対して秘匿化することにより、対応データを作成する。
【００５７】
図１２は、図１１に示す情報から生成される対応データの例である。図１１に含まれている情報のうち、カラム番号＝０６の「年収」の情報は、公開設定情報が非公開に設定されている。そこで、取得部３１は、対応づけにより得られた図１１の情報のうち、年収の情報を削除する。さらに、各項目に対する公開設定情報も削除することにより、取得部３１は、端末１０に送信可能な対応データ（図１２）を生成する。
【００５８】
（１．２）申し込み画面の表示例
図１３は、図１２に示す対応データを受信した端末１０に表示される申し込み画面の例である。図１３に示す申込み画面Ｇ４には、例えば、氏名、住所、生年月日、性別、メールアドレスなど、利用者が予めＰＤＳサーバ５０に登録している情報であって、かつ、公開情報設定が公開に設定されている情報が記載されている。このため、図１３に示す申し込み画面では、ＰＤＳサーバ５０からデータを取得しない場合に比べて、利用者が入力する項目数が少なくなっている。従って、ＰＤＳサーバ５０に登録されているデータを用いた申し込み画面が生成されることで、利用者の申し込み手続きが簡略化される。
【００５９】
（２）サービスの利用申請
次に、サービスの利用申請の後に行われるＰＤＳサーバ５０への情報の登録について説明する。
【００６０】
図１３に示す画面Ｇ４の電子フォームにおいて空欄となっている項目や、記録されている情報が最新の情報と異なる項目に対して、利用者が情報を入力したとする。例えば、利用者が、画面Ｇ４で空欄となっている職業、年収、よく利用する支店などの情報を入力したとする。さらに、利用者は、現在ＰＤＳサーバ５０に登録されているメールアドレス（ｆｕｊｉｔｓｕ．ｔａｒｏ＠ｊｐ．ｆｊ．ｃｏｍ）とは異なるメールアドレス（ｔａｒｏ＠ｊｐ．ｆｊ．ｃｏｍ）を入力したとする。
【００６１】
図１４の画面Ｇ５は、利用者が図１３の申し込みフォームに入力処理を行った後の画面の例である。画面Ｇ５には、入力された情報と共に、キャンセルボタンｂ１１と確認ＯＫボタンｂ１２が表示されている。利用者が確認ＯＫボタンｂ１２を押し下すと、端末１０の制御部１２は、クレジットカードの申し込み内容の確認画面Ｇ６を表示する。確認画面Ｇ６には、利用者から入力された情報と共に、戻るボタンｂ１３、および、登録ボタンｂ１４が表示される。利用者が登録ボタンｂ１４を押し下すと、制御部１２は、画面Ｇ６に表示されている個人情報と項目を対応付けた情報を、クレジットカード会社のサーバに送信する。
【００６２】
制御部１２は、利用申し込みを行った利用者の個人情報と項目を対応付けた情報をクレジットカード会社のサーバに送信した後で、申込みに続けて、情報をＰＤＳサーバ５０に登録するかを利用者に確認するメッセージを含む画面Ｇ７を表示する。画面Ｇ７には、情報をＰＤＳサーバ５０に登録するかを利用者に確認するメッセージの他に、キャンセルボタンｂ１５とＰＤＳ連携ボタンｂ１６が含まれている。利用者がキャンセルボタンｂ１５を押し下すと、制御部１２はこの利用者に対する処理を終了する。一方、ＰＤＳ登録ボタンｂ１６を利用者が押し下した場合、制御部１２は、ＰＤＳサーバ５０への情報の登録を行うための処理を開始する。
【００６３】
（３）ＰＤＳサーバ５０への情報の登録
図１５は、サービスの申し込みの際に得られたデータの例を説明する図である。図１５は、図１２に示す対応データを用いた入力画面に、利用者が以下の情報を記録した上でクレジットカードの申し込みを行った場合に得られる個人情報の例である。
【００６４】
職業＝システムエンジニア
年収＝６００万
よく利用する支店＝豊洲支店
よく利用するカード会社名＝Ａクレジットカード
端末１０の制御部１２が図１５に示す情報を取得している状態で、図１４の画面Ｇ７においてＰＤＳ登録ボタンｂ１６を利用者が押し下した場合、制御部１２は、図１５に示す情報を中継サーバ２０に送信する。
【００６５】
中継サーバ２０の変換部３２は、通信部２１を介して、端末１０から送信されたデータを取得する。この時点で、中継サーバ２０が備える記憶部４０には、中継サーバ２０が行った対応づけの結果のデータ（図１１）、利用者のキー情報、および、カテゴリ区分コードの組み合わせが格納されている。変換部３２は、端末１０から受信したデータ中の情報を用いて、利用者のキー情報と、カテゴリ区分コードを特定する。例えば、変換部３２は、記憶部４０に保持している情報のうちで氏名の情報が、端末１０から受信した情報中の利用者の氏名と合致するものを特定できる。例えば、端末１０から図１５の情報を受信した場合、受信した情報には、氏名＝富士通太郎という情報が含まれている。そこで、変換部３２は、図１１に示す対応付けの結果を利用者の情報として特定できる。その結果、変換部３２は、図１１に示す情報に対応付けて記録されているキー情報とカテゴリ区分コードを特定できる。ここでは、カテゴリ区分コード＝０１が対応づけられている。
【００６６】
変換部３２は、端末１０から受信したデータを、ＰＤＳサーバ５０に記憶される形式に変換する。このとき、変換部３２は、得られたデータのうち、テーブル種別が「正」に設定されている情報を、個人情報テーブル７１に登録される形式に加工する。一方、テーブル種別が「副」に設定されている情報を、その情報の格納に使用されている副情報テーブル７２に登録される形式に加工する。以下、ＰＤＳサーバ５０での格納用に加工されたデータを「変換データ」と記載することがある。
【００６７】
図１６は、中継サーバ２０が生成するデータの例を説明する図である。図１６の個人情報テーブル７１＿２は、図１５に示す情報から生成された個人情報テーブル７１用の変換データである。個人情報テーブル７１＿２には、中継サーバ２０が端末１０から取得した申込個人情報と申込項目の組み合わせ（図１５）に基づいて、個人情報と個人情報項目が設定される。このとき、変換部３２は、複数のカラム番号に対応付けられている申込個人情報を、個人情報テーブル７１で使用される個々のカラムに記録するために分割する処理を行う。例えば、図１５には、氏名＝富士通太郎という情報が含まれている。変換部３２は、この情報を、カラム番号＝０１の姓＝富士通という情報と、カラム番号＝０２の名＝太郎という情報に分割する。同様に、図１５においてカラム番号＝１１〜１３に対応付けられている住所の情報についても、変換部３２は図１６のカラム番号＝１１〜１３に示すように分割する。さらに、変換部３２は、各項目に対応付けられている公開設定情報を、利用申請のための電子フォームに使用される情報の対応づけを行った際に得られた結果のデータ（図１１）から取得して、個人情報テーブル７１＿２に設定している。
【００６８】
次に、変換部３２は、カテゴリ区分コードに対応付けられた副情報テーブル７２に含まれている情報要素に従って、副情報テーブル７２を更新するための変換データを生成する。図１６の副情報テーブル７２ａ＿２は、図１５に示す情報から生成された副情報テーブル７２ａ用の変換データである。副情報テーブル７２の更新用の変換データの生成の際に行われる処理は、個人情報テーブル７１の更新用の変換データの生成の際の処理と同様である。
【００６９】
変換部３２は、生成した変換データを、カテゴリ区分コード、および、キー情報と共に、ＰＤＳサーバ５０に送信する。このとき、変換部３２は、ＰＤＳサーバ５０に対して、公開設定情報を利用者が設定することができるように、端末１０との間で通信を開始することを要求する。
【００７０】
ＰＤＳサーバ５０の登録処理部６２は、受信した変換データを用いて、個人情報テーブル７１と副情報テーブル７２を更新する。このとき、登録処理部６２は、カテゴリ区分コードと副テーブルセットマスタ７３を用いて、更新する対象の副情報テーブル７２を特定する。このため、例えば、副情報テーブル７２ａ（図６）に含まれているよく利用する支店名の情報は、以下のように更新される。
【００７１】
カラム番号＝ＡＡ
個人情報項目＝よく利用する支店名
個人情報    ＝豊洲支店
公開設定情報＝未登録
登録処理部６２は、登録済みの情報とは異なる情報が変換データに含まれている場合には、登録済みの情報を変換データの情報で更新するとともに、その項目の公開設定情報を「未登録」に変更する。例えば、図１５に示す変換データに含まれているメールアドレスは、個人情報テーブル７１（図５）に含まれているメールアドレスとは異なっている。そこで、登録処理部６２は、個人情報テーブル７１において、メールアドレスに関する設定を以下のように更新する。
【００７２】
カラム番号＝０９
個人情報項目＝メールアドレス
個人情報    ＝ｔａｒｏ＠ｊｐ．ｆｊ．ｃｏｍ
公開設定情報＝未登録
他の情報についても同様に更新処理が行われる。
【００７３】
次に、登録処理部６２は、個人情報テーブル７１と副情報テーブル７２に含まれている各情報について、公開設定情報を取得するために、個人情報登録画面を生成する。個人情報登録画面には、情報を公開するかの設定を入力するための入力フォームが含まれている。登録処理部６２は、生成した個人情報登録画面を端末１０に送信する。
【００７４】
図１７の画面Ｇ８は、ＰＤＳサーバ５０から端末１０が受信した個人情報登録画面の例である。端末１０の制御部１２は、ＰＤＳサーバ５０から受信した情報に応じて画面表示を行う。図１７に示すように、個人情報登録画面では、Ａクレジットカードの申し込みの際に使用された各情報に対して、公開設定情報を設定する欄が表示されており、各欄には利用者が希望する条件を入力することができる。画面Ｇ８に示す公開設定情報の欄には、ＰＤＳサーバ５０中の個人情報テーブル７１や副情報テーブル７２ａに記憶されている現在の設定が表示されている。利用者は、公開設定を変更する場合には、表示されている内容を変更することができる。なお、個人情報テーブル７１や副情報テーブル７２ａに公開設定情報が登録されていない場合は、公開設定情報を設定する欄には情報が表示されない。このため、画面Ｇ８の例では、「職業」や「よく利用する支店」などの項目については、公開設定情報が設定されていない。
【００７５】
画面Ｇ８の画面において、利用者が各項目の情報についての公開設定を入力したときの例を画面Ｇ９に示す。この例では、「性別」についての設定が、公開から非公開に変更されている。また、「職業」については「非公開」、「メールアドレス」と「よく利用する支店」については「公開」に設定されている。画面Ｇ９において、「登録」ボタンが押し下されると、端末１０の制御部１２は、得られた情報をＰＤＳサーバ５０に送信する。
【００７６】
ＰＤＳサーバ５０は、端末１０から取得した情報を記憶部７０に保持するとともに、設定内容を確認する画面（登録確認画面）を生成する。登録確認画面には、利用者の個人情報と、各情報を公開するかの設定が表示されている。登録処理部６２は、登録確認画面を端末１０に送信する。
【００７７】
図１７の画面Ｇ１０は、端末１０がＰＤＳサーバ５０から受信した登録確認画面の例である。端末１０の制御部１２は、登録確認画面を表示することにより、利用者に登録内容の確認を促す。登録確認画面Ｇ１０の「登録」ボタンが押し下されると、制御部１２は、ＰＤＳサーバ５０に登録処理を要求する。
【００７８】
ＰＤＳサーバ５０の登録処理部６２は、端末１０から登録処理が要求されると、登録確認画面に表示された通りに、個人情報テーブル７１や副情報テーブル７２に公開情報設定の登録処理を行う。さらに、登録処理部６２は、個人情報の登録完了を通知するための登録完了画面を生成し、登録完了画面の情報を端末１０に送信する。
【００７９】
図１７の画面Ｇ１１は、端末１０がＰＤＳサーバ５０から受信した登録完了画面の例である。端末１０の制御部１２は、登録完了画面を表示することにより、利用者に登録の終了を通知する。
【００８０】
図１８は、データの取得および更新の例を説明する図である。図１５〜図１７を参照しながら行われたデータの更新の例を図１８にまとめて示す。図１８の画面Ｇ２１に（１）〜（５）で示す項目が、設定内容や公開設定情報が更新された項目である。Ａに、（１）〜（５）の項目の各々についての公開設定情報を示す。クレジットカードの利用申し込みのための申し込み画面が表示された段階では、画面Ｇ２１に示すように、「職業」と「よく利用する支店」などの未登録の項目には、個人情報が記録されていない。また、「年収」のように公開設定情報が非公開に設定されている情報も申し込み用の電子フォームには記録されていない。
【００８１】
画面Ｇ２２は、利用者から電子フォームへの入力が行われた状態である。Ｂは、（１）〜（５）の項目の各々に入力された情報の、ＰＤＳサーバ５０にとってのステータスを示す。「職業」と「よく利用する支店」などの未登録となっていた項目に入力された情報は、ＰＤＳサーバ５０にとっては、新規な内容の情報となっている。一方、「年収」のように公開設定情報が非公開に設定されている情報については、ＰＤＳサーバ５０が保持している情報を端末１０に通知していないが、端末１０から最新情報が通知されることなる。このため、「年収」などの非公開に設定されている情報に対して得られた入力は、ＰＤＳサーバ５０にとっては、更新された情報となる。さらに、公開設定情報が公開に設定されている情報に対して新たに入力された情報は、ＰＤＳサーバ５０に記録されている情報を端末１０に送信した上で、異なる情報が記録されたので、ＰＤＳサーバ５０にとっては、更新された情報となる。一方、「性別」については、情報が更新されていないので、ＰＤＳサーバ５０にとっては情報が変更されていない。
【００８２】
画面Ｇ２３は、公開設定情報の設定が入力された場合の画面表示の例である。Ｃは、（１）〜（５）にかかる情報についての公開設定情報についての、ＰＤＳサーバ５０にとってのステータスを示す。「性別」については設定が「公開」から「非公開」に変更されたので、ＰＤＳサーバ５０にとっては、設定を更新する対象となっている。「職業」の情報は新たに登録されており、ＰＤＳサーバ５０にとっては、「非公開」として登録する情報である。「年収」については、現在も「非公開」に設定されており、今回の設定も「非公開」であるので、ＰＤＳサーバ５０にとっては、公開設定の変更がない項目である。新たに登録された「メールアドレス」と「よく利用する支店」については、公開設定情報は「公開」であるので、ＰＤＳサーバ５０は、公開可能な情報として登録する。
【００８３】
図１９は、ＰＤＳへの情報の登録の際に行われる処理の例を説明するフローチャートである。なお、ステップＳ３１〜Ｓ３２で得られる端末１０での表示の例は、図１４を参照しながら説明している。
【００８４】
端末１０の制御部１２は、クレジットカード申し込み確認画面（図１４の画面Ｇ６）を表示する（ステップＳ３１）。その後、利用者が登録ボタンｂ１４（図１４）を押し下すなどの処理により、利用者からの登録の指示が入力されたことを認識すると、制御部１２は、登録内容をクレジットカード会社のサーバに送信する。さらに、制御部１２は、クレジットカード申し込み完了画面（図１４の画面Ｇ７）を表示する（ステップＳ３２）。利用者がＰＤＳ連携ボタンｂ１６（図１４）を押し下すなどの処理により、利用者からのＰＤＳサーバ５０への登録の指示が入力されたことを認識すると、制御部１２は、クレジットカードの申し込みに使用する個人情報と、各情報の項目を対応付けた情報を中継サーバ２０に送信する（ステップＳ３３）。なお、ステップＳ３３で中継サーバ２０に送信される情報の例を図１５に示す。
【００８５】
中継サーバ２０の変換部３２は、通信部２１を介して、端末１０から受信したデータを取得する。変換部３２は、端末１０から受信したデータ中の情報を用いて、端末１０から受信した情報に対応付けられている利用者のキー情報と、カテゴリ区分コードを特定する（ステップＳ３４）。
【００８６】
変換部３２は、端末１０から受信したデータを、ＰＤＳサーバ５０に記憶される形式に変換する（ステップＳ３５）。変換部３２は、変換データ、キー情報、および、カテゴリ区分コードを、通信開始要求とともに、ＰＤＳサーバ５０に送信する（ステップＳ３６）。ここで、通信開始要求は、ＰＤＳサーバ５０に登録される情報の公開に関する設定を利用者が行うことができるようにするために、ＰＤＳサーバ５０に対して端末１０との通信を開始することを要求するメッセージである。
【００８７】
ＰＤＳサーバ５０の登録処理部６２は、中継サーバ２０から受信した変換データを、個人情報テーブル７１と副情報テーブル７２に登録する。なお、変換データのうち、個人情報テーブル７１用に変換された情報は個人情報テーブル７１に登録され、副情報テーブル７２用に変換された情報は副情報テーブル７２に登録される。登録処理部６２は、通信開始要求に応じて、端末１０と通信を開始するための処理を行う。さらに、登録処理部６２は、通信部５１を介して、端末１０に、ＰＤＳサーバ５０への個人情報登録画面を送信する（ステップＳ３７）。
【００８８】
端末１０の制御部１２は、通信部１１を介して受信したデータを用いて、個人情報登録画面を表示する（ステップＳ３８）。利用者から情報を公開するかの設定が入力されると、制御部１２は、入力されたデータをＰＤＳサーバ５０に送信する（ステップＳ３９）。ＰＤＳサーバ５０の登録処理部６２は、通信部５１を介してデータを取得し、登録確認画面を生成する（ステップＳ４０）。登録処理部６２は、登録確認画面を端末１０に送信する。
【００８９】
端末１０の制御部１２は、登録確認画面（図１７のＧ１０）を表示する（ステップＳ４１）。登録確認画面を表示中に、利用者から、登録確認画面のとおりに登録することを指示する入力を受け付けると、制御部１２は、ＰＤＳサーバ５０に登録処理を要求する。
【００９０】
ＰＤＳサーバ５０の登録処理部６２は、端末１０から登録処理が要求されると、登録確認画面に表示された通りに、個人情報の登録処理を行う（ステップＳ４２）。登録処理部６２は、個人情報の登録完了を通知するための登録完了画面を生成する（ステップＳ４３）。登録処理部６２は、登録完了画面の情報を端末１０に送信する。端末１０の制御部１２は、登録完了画面（図１７のＧ１１）を表示する（ステップＳ４４）。
【００９１】
このように、第１の実施形態にかかる方法では、クレジットカードの申し込みなどのサービスの利用申請の際に得られた情報を、ＰＤＳサーバ５０に登録することができる。このため、以後の利用申請の際には、ＰＤＳサーバ５０は、更新後の情報を用いて利用申請を支援することができる。従って、利用者が利用申請の電子フォームにおいて、特定の項目を利用者の意に反して何度も入力する事態を避けることができる。また、利用申請を行う利用者の利便性も向上する。
【００９２】
さらに、第１の実施形態にかかる方法では、サービスの利用申請に続けて、ＰＤＳサーバ５０への登録を簡便に行うことができるようになるため、利用者がＰＤＳサーバ５０に個人情報を登録しやすくなる。従って、ＰＤＳサーバ５０に情報を集約しやすくなるという利点もある。
【００９３】
また、サービスの利用申請の際に、ＰＤＳサーバ５０から取得したデータを使用する場合、ユーザが紙などに手書きした申込書を用いなくて良い。手書きの申込書は、記入内容が不鮮明になる場合があり、サービスの利用提供に支障が生じる可能性がある。第１の実施形態にかかる方法のように、ＰＤＳサーバ５０から取得したデータを用いる場合は、Ｗｅｂを介した申し込みが行われるので、不鮮明な記載によりサービス提供に支障をきたすおそれがない。
【００９４】
第１の実施形態にかかる方法を用いると、サービスの利用申請の際の成りすましを防止することもできる。図９、図１０などを参照しながら説明したように、ＰＤＳサーバ５０は、キー情報を用いた認証を行い、認証に成功した場合にデータを中継サーバ２０に送信する。また、ＰＤＳサーバ５０からのデータの取得には、静脈情報などの生体情報も使用され得る。従って、第１の実施形態にかかる方法により、成りすましが行われにくくなる。
【００９５】
第１の実施形態では、ＰＤＳサーバ５０はある特定のサービスの利用申し込みの際に使用される情報を、副情報テーブル７２に登録しており、中継サーバ２０は、副情報テーブル７２中の情報を対応データに含めることができる。また、中継サーバ２０は、端末１０から取得した情報のうち、副情報テーブル７２に保持されるデータを個人情報テーブル７１に保持される情報と分けて、変換データを生成することができる。このため、ＰＤＳサーバ５０中の情報を用いたサービスの利用申請を提供している企業は、自社が集めたい情報であって、汎用的に使用される情報ではない情報も、利用申請の際に利用者からＰＤＳサーバ５０に取得しやすくなる。このため、企業は、マーケティング戦略や顧客獲得戦略に有用な情報を、ＰＤＳサーバ５０を介して取得しやすくなる。
【００９６】
＜第２の実施形態＞
第２の実施形態として、ＰＤＳサーバ５０に情報を登録していない利用者がサービスの利用申請を行った後で、利用申請に使用した個人情報をＰＤＳサーバ５０に登録する場合について説明する。第２の実施形態でも、第１の実施形態と同様にＡ社から発行されるクレジットカードの利用申請を行う場合を例とする。
【００９７】
図２０は、ＰＤＳサーバ５０に情報が登録されていない場合のサービスの利用申請の例を説明する図である。端末１０に表示される申し込み画面Ｇ３１は、第１の実施形態と同様である。申し込み画面には、申し込みの際に入力が求められる情報の入力欄と共に、申し込みボタンｂ３１、および、ＰＤＳ取得ボタンｂ３２が表示されている。利用者が個人情報をＰＤＳサーバ５０に登録していない場合、ＰＤＳサーバ５０から個人情報を取得することはないので、利用者は、個人情報を申し込み画面Ｇ３２に示すように入力する。利用者は、利用申請を行うために、画面Ｇ３２の申し込みボタンｂ３１を押し下す。
【００９８】
すると、端末１０の制御部１２は、申し込み画面Ｇ３２に入力された個人情報をクレジットカード会社のサーバに送信する前に、利用者が申し込みの内容を確認することができる確認画面Ｇ３３を表示する。確認画面には、利用申請に使用される個人情報、戻るボタンｂ３３、および、登録ボタンｂ３４が表示される。戻るボタンｂ３３が押し下されると、制御部１２は、画面Ｇ３２のように、利用申請に使用される個人情報を入力可能な画面を表示する。一方、登録ボタンｂ３４が押し下されると、制御部１２は入力された個人情報を、通信部１１を介して、クレジットカード会社のサーバに送信する。
【００９９】
制御部１２は、利用者の個人情報と項目を対応付けた情報をクレジットカード会社のサーバに送信した後で、情報をＰＤＳサーバ５０に登録するかを利用者に確認するメッセージを含む画面Ｇ３４を表示する。画面Ｇ３４には、情報をＰＤＳサーバ５０に登録するかを利用者に確認するメッセージの他に、キャンセルボタンｂ３５とＰＤＳ連携ボタンｂ３６が含まれている。利用者がキャンセルボタンｂ３５を押し下すと、制御部１２はこの利用者に対する処理を終了する。一方、ＰＤＳ登録ボタンｂ３６を利用者が押し下した場合、制御部１２は、利用申請の対象となったサービスを特定するカテゴリ区分コード、および、利用申請に使用した個人情報を中継サーバ２０に送信する。
【０１００】
中継サーバ２０は、取得した個人情報を、ＰＤＳサーバ５０に格納される形式に変換した変換データを生成する。変換データの生成方法は、第１の実施形態と同様である。ただし、利用者がＰＤＳサーバ５０に情報を登録していない場合、利用申請に使用された個人情報のいずれに対しても、公開設定情報が設定されていない。このため、変換データを生成する際に、変換部３２は、個人情報の全てに対して、公開設定情報を「未登録」に設定する。
【０１０１】
さらに、利用者がＰＤＳサーバ５０に情報を登録していない場合、中継サーバ２０に送信される個人情報には、ＰＤＳサーバ５０において記録されるテーブルの種別を表わすテーブル種別やカラム番号も対応付けられていない。このため、中継サーバ２０は、端末１０から取得したカテゴリ区分コードをキーとしてデータセットマスタ４１を検索し、ヒットしたマスタテーブル４２を用いて、受信した個人情報に対応するカラム番号を特定する。なお、ＰＤＳサーバ５０で格納されるテーブルの種別を特定する際に、複数のマスタテーブル４２を使用しても良い。変換部３２は、複数のマスタテーブル４２に共通して含まれている項目について、ＰＤＳサーバ５０において個人情報テーブル７１に記録されていると判定できる。一方、複数のマスタテーブル４２に共通して含まれていない項目については、ＰＤＳサーバ５０では副情報テーブル７２に記録されていると判定できる。また、変換部３２は、過去にＰＤＳサーバ５０から受信した情報の項目ごとに、個人情報テーブル７１と副情報テーブル７２のいずれに保持されているかを記憶していても良い。
【０１０２】
端末１０から受信した個人情報の各項目について、カラム番号やテーブル種別を特定すると、変換部３２は、ＰＤＳサーバ５０に送信するための変換データを生成する。変換データの生成方法は、第１の実施形態と同様である。変換部３２は、生成した変換データとカテゴリ区分コードを、ＰＤＳサーバ５０に送信する。このとき、変換部３２は、ＰＤＳサーバ５０に対して、公開設定情報を利用者が設定することができるように、端末１０との間で通信を開始することを要求する。
【０１０３】
ＰＤＳサーバ５０の登録処理部６２は、受信した変換データを用いて、個人情報テーブル７１と副情報テーブル７２を更新する。公開設定情報を取得する前に行われる個人情報テーブル７１と副情報テーブル７２の更新処理は、第１の実施形態と同様である。なお、個人情報テーブル７１や副情報テーブル７２への新規登録の際に、登録処理部６２は、利用者の認証処理を行うために、端末１０と通信して認証処理に証するキー情報を取得しても良い。登録処理部６２は、キー情報を取得した場合、得られた情報も個人情報テーブル７１に記録する。その後、登録処理部６２は、個人情報テーブル７１と副情報テーブル７２に含まれている各情報について、公開設定情報を取得するために、個人情報登録画面を生成し、端末１０に送信する。
【０１０４】
図２１の画面Ｇ３５は、個人情報登録画面の例である。端末１０の制御部１２は、ＰＤＳサーバ５０から受信した情報に応じて画面表示を行う。画面Ｇ３５に示すように、個人情報登録画面では、Ａクレジットカードの申し込みの際に使用された各情報に対して、公開設定情報を設定する欄が表示されており、各欄には利用者が希望する条件を入力することができる。この段階では、いずれの項目についても公開設定情報が未登録であるので、画面Ｇ３５に示す公開設定情報の欄には、いずれの項目についても情報が表示されない。
【０１０５】
画面Ｇ３５の画面において、利用者が各項目の情報についての公開設定を入力したときの例を画面Ｇ３６に示す。画面Ｇ３６において、利用者が「登録」ボタンを押し下すと、端末１０の制御部１２は、得られた情報をＰＤＳサーバ５０に送信する。
【０１０６】
ＰＤＳサーバ５０は、端末１０から取得した情報を記憶部７０に保持するとともに、設定内容を確認するための登録確認画面を生成する。登録確認画面には、利用者の個人情報と、各情報を公開するかの設定が表示されている。登録処理部６２は、登録確認画面を端末１０に送信する。
【０１０７】
画面Ｇ３７は、端末１０がＰＤＳサーバ５０から受信した登録確認画面の例である。端末１０の制御部１２は、登録確認画面を表示することにより、利用者に登録内容の確認を促す。登録確認画面Ｇ３７の「登録」ボタンが押し下されると、制御部１２は、ＰＤＳサーバ５０に登録処理を要求する。
【０１０８】
ＰＤＳサーバ５０の登録処理部６２は、端末１０から登録処理が要求されると、登録確認画面に表示された通りに、個人情報テーブル７１や副情報テーブル７２に公開情報設定の登録処理を行う。さらに、登録処理部６２は、個人情報の登録完了を通知するための登録完了画面を生成し、登録完了画面の情報を端末１０に送信する。端末１０がＰＤＳサーバ５０から受信した登録完了画面の例を図２１の画面Ｇ３８に示す。端末１０の制御部１２は、登録完了画面を表示することにより、利用者に登録の終了を通知する。
【０１０９】
このように、第２の実施形態によると、ＰＤＳサーバ５０に情報を登録していない利用者についても、クレジットカードの申し込みなどのサービスの利用申請の際に使用した個人情報を、ＰＤＳサーバ５０に登録することができる。このため、利用者は、サービスの利用申請と別個にＰＤＳサーバ５０への登録を行わなくても、以後の利用申請の際には、ＰＤＳサーバ５０に登録された情報を用いて利用申請をすることができる。従って、利用申請を行う利用者の利便性が向上する。また、利用者が利用申請の電子フォームにおいて特定の項目を何度も入力する事態を避けることができるので、利用申請の支援が効率化される。
【０１１０】
さらに、ＰＤＳサーバ５０への新規の登録も、サービスへの利用申請に続けて行うことができるため、利用者がＰＤＳサーバ５０に個人情報を登録しやすくなる。このため、ＰＤＳサーバ５０を用いてデータを取得している企業にとっては、新規の利用者を獲得しやすくなるという利点がある。
【０１１１】
＜変形例＞
なお、実施形態は上記に限られるものではなく、様々に変形可能である。以下にその例をいくつか述べる。
【０１１２】
中継サーバ２０が個人情報をＰＤＳサーバ５０への個人情報の追加登録などのためにかかる時間を越えた長期間にわたって保持しないように、設定が行われても良い。このように設定が行われると、ＰＤＳサーバ５０以外の装置に個人情報が長期的に記録されない。このため、中継サーバ２０からの情報流出が発生するおそれを小さくすることができる。
【０１１３】
以上の説明では、クレジットカードの利用申し込みを例として説明したが、利用申請が行われるサービスの種類は、クレジットカードの利用申し込みには限定されない。例えば、Ｗｅｂを介した商品購入、ポイントの付与や変換、中古品等の買い取りの申し込み、宅配便の受け取りの設定など、個人情報を入力する可能性のある任意の申し込みに、第１および第２の実施形態が適用され得る。
【０１１４】
情報提供方法が使用されるシステムも、実装に応じて変更され得る。図２２は、情報提供方法が使用されるシステムの例を説明する図である。図２２の例では、システムは、端末１０、カード会社サーバ８０、中継サーバ２０、ＰＤＳサーバ５０を備える。この場合、端末１０は、サービスの利用申し込み等に特化した装置ではなく、利用者が保持するスマートフォンやタブレットなどの装置であって良い。図２２の例では、端末１０は、中継サーバ２０と直接通信を行わずに、カード会社サーバ８０と通信を行う。中継サーバ２０はカード会社サーバ８０およびＰＤＳサーバ５０と通信する。この場合、サービスの利用申し込み申請に際して表示される画面は、カード会社サーバ８０によって生成される。従って、端末１０は、カード会社サーバ８０から受信した情報を端末１０が保持する画面に表示する。このため、中継サーバ２０は、個人情報と項目の対応付けによって得られた対応データを、端末１０ではなくカード会社サーバ８０に送信する。なお、このようにシステムが変形された場合も、ＰＤＳサーバ５０は、公開設定情報を取得するために、中継サーバ２０からの要求に応じて、端末１０と通信する。
【０１１５】
第１の実施形態では、個人情報テーブル７１や副情報テーブル７２に含まれている全ての情報が中継サーバ２０に送信される場合の例を説明したが、個人情報テーブル７１や副情報テーブル７２の一部が中継サーバ２０に送信されても良い。例えば、ＰＤＳサーバ５０中の認証部６１は、中継サーバ２０から通知されたキー情報に対応付けられた個人情報テーブル７１および副情報テーブル７２に含まれている情報のうち、公開設定情報が「公開」に設定されている情報のみを送信対象としても良い。この場合、認証部６１は、処理対象の個人情報テーブル７１および副情報テーブル７２から、公開設定情報＝公開の情報のみを抽出し、抽出処理によって得られた情報を、通信部５１経由で中継サーバ２０に送信する。中継サーバ２０は、ＰＤＳサーバ５０から得られた情報について、電子フォーム中の情報との対応付けを行うと共に、対応データを生成する。この場合も、中継サーバ２０で行われる対応付け、対応データの生成、および、端末１０での対応データの処理は、第１の実施形態と同様である。しかし、この場合は、中継サーバ２０は公開設定情報が「非公開」や「未登録」に設定されている情報をＰＤＳサーバ５０から受信しない。従って、公開設定情報＝公開に設定されている情報についてのみ、中継サーバ２０は対応付けや対応データの生成を行えば良い。このため、このような変形例では、第１の実施形態などと比べて、中継サーバ２０の処理負荷が低く抑えられる。
【０１１６】
以上の説明の際に用いたテーブル等に含まれている情報要素は一例であり、実装に応じて変更され得る。また、以上での説明に使用した表示画面も例示であって、実装に応じて変更され得る。
【０１１７】
上述の第１および第２の実施形態を含む実施形態に関し、以下の付記を開示する。
（付記１）
サービスの利用申請を受け付ける端末から、前記利用申請に際して取得した前記サービスの利用者に関する情報に前記情報の項目を対応付けた利用者情報を受信し、
個人情報を保持するサーバが前記個人情報の記録に使用する１つ以上のテーブル中の項目に合わせて、前記利用者情報を前記１つ以上のテーブルに記録可能な形式に変換した変換データを生成し、
前記サーバに前記変換データを送信する
処理をコンピュータに実行させることを特徴とする情報提供プログラム。
（付記２）
前記利用者が行う他の利用申請に使用する前記利用者の個人情報の取得要求を、前記利用者の識別情報と共に、前記端末から受信すると、前記識別情報に対応付けて前記サーバが保持している情報と当該情報に対応する項目の組み合わせを、前記利用者の個人情報として、前記サーバから取得し、
前記利用者の個人情報として取得した情報を、前記他の利用申請に使用される情報の項目の各々に対応付けた対応データを生成し、
前記対応データを前記端末に送信する
処理をさらに前記コンピュータに実行させることを特徴とする、付記１に記載の情報提供プログラム。
（付記３）
前記利用者の個人情報として前記サーバから取得する前記組み合わせは、当該組み合わせに含まれる項目の情報を公開するかを表わす設定情報を含み、
前記設定情報が公開に設定されている公開情報のみを前記対応データとして送信する
処理をさらに前記コンピュータに実行させることを特徴とする、付記２に記載の情報提供プログラム。
（付記４）
前記他の利用申請で提供されるサービスの種類を識別する種別情報を、前記取得要求と共に前記端末から受信し、
前記種別情報に対応付けられた項目について、前記サーバが前記識別情報に対応付けて保持している情報を、前記サーバから取得し、
前記サーバから取得した情報を用いて、前記対応データを生成する
処理を前記コンピュータに実行させることを特徴とする、付記２または３に記載の情報提供プログラム。
（付記５）
前記他の利用申請に際して前記端末に入力された前記利用者に関する情報に当該情報の項目を対応付けた他の利用者情報を、前記端末から受信し、
前記他の利用者情報を前記１つ以上のテーブルに記録可能な形式に変換した他の変換データを生成し、
前記他の変換データを、前記識別情報と共に記録対象として前記サーバに送信する
処理を前記コンピュータに実行させることを特徴とする、付記２〜４のいずれか１項に記載の情報提供プログラム。
（付記６）
端末とサーバと通信可能な情報提供装置であって、
サービスの利用申請を受け付ける前記端末から、前記利用申請に際して取得した前記サービスの利用者に関する情報に前記情報の項目を対応付けた利用者情報を受信する通信部と、
個人情報を保持するサーバが前記個人情報の記録に使用する１つ以上のテーブル中の項目に合わせて、前記利用者情報を前記１つ以上のテーブルに記録可能な形式に変換した変換データを生成する制御を行う変換部とを備え、
前記通信部は、前記サーバに前記変換データを送信する
ことを特徴とする情報提供装置。
（付記７）
前記利用者が行う他の利用申請に使用する前記利用者の個人情報の取得要求を、前記利用者の識別情報と共に、前記端末から受信すると、前記識別情報に対応付けて前記サーバが保持している情報と当該情報に対応する項目の組み合わせを、前記利用者の個人情報として、前記サーバから取得する取得部
をさらに備え、
前記取得部は、前記利用者の個人情報として取得した情報を、前記他の利用申請に使用される情報の項目の各々に対応付けた対応データを生成し、
前記通信部は、前記対応データを前記端末に送信する
ことを特徴とする、付記６に記載の情報提供装置。
（付記８）
前記利用者の個人情報として前記サーバから取得する前記組み合わせは、当該組み合わせに含まれる項目の情報を公開するかを表わす設定情報を含み、
前記取得部は、前記設定情報が公開に設定されている公開情報のみを前記対応データに含める
ことを特徴とする、付記７に記載の情報提供装置。
（付記９）
前記通信部は、前記他の利用申請で提供されるサービスの種類を識別する種別情報を、前記取得要求と共に前記端末から受信し、
前記取得部は、
前記種別情報に対応付けられた項目について、前記サーバが前記識別情報に対応付けて保持している情報を、前記サーバから取得し、
前記サーバから取得した情報を用いて、前記対応データを生成する
ことを特徴とする、付記７または８に記載の情報提供装置。
（付記１０）
前記通信部は、前記他の利用申請に際して前記端末に入力された前記利用者に関する情報に、当該情報の項目を対応付けた他の利用者情報を、前記端末から受信し、
前記変換部は、前記他の利用者情報を前記１つ以上のテーブルに記録可能な形式に変換した他の変換データを生成し、
前記通信部は、前記他の変換データを、前記識別情報と共に記録対象として前記サーバに送信する
ことを特徴とする、付記７〜９のいずれか１項に記載の情報提供装置。
（付記１１）
サービスの利用申請を受け付ける端末から、前記利用申請に際して取得した前記サービスの利用者に関する情報に前記情報の項目を対応付けた利用者情報を受信し、
個人情報を保持するサーバが前記個人情報の記録に使用する１つ以上のテーブル中の項目に合わせて、前記利用者情報を前記１つ以上のテーブルに記録可能な形式に変換した変換データを生成し、
前記サーバに前記変換データを送信する
処理をコンピュータが実行することを特徴とする情報提供方法。
（付記１２）
前記利用者が行う他の利用申請に使用する前記利用者の個人情報の取得要求を、前記利用者の識別情報と共に、前記端末から受信すると、前記識別情報に対応付けて前記サーバが保持している情報と当該情報に対応する項目の組み合わせを、前記利用者の個人情報として、前記サーバから取得し、
前記利用者の個人情報として取得した情報を、前記他の利用申請に使用される情報の項目の各々に対応付けた対応データを生成し、
前記対応データを前記端末に送信する
処理をさらに前記コンピュータが実行することを特徴とする、付記１１に記載の情報提供方法。
（付記１３）
前記利用者の個人情報として前記サーバから取得する前記組み合わせは、当該組み合わせに含まれる項目の情報を公開するかを表わす設定情報を含み、
前記設定情報が公開に設定されている公開情報のみを対応データとして送信する
処理をさらに前記コンピュータが実行することを特徴とする、付記１２に記載の情報提供方法。
【符号の説明】
【０１１８】
１０  端末
１１、２１、５１  通信部
１２、３０、６０  制御部
１３、４０、７０  記憶部
２０  中継サーバ
３１  取得部
３２  変換部
４１  データセットマスタ
４２  マスタテーブル
５０  ＰＤＳサーバ
６１  認証部
６２  登録処理部
７１  個人情報テーブル
７２  副情報テーブル
７３  副テーブルセットマスタ
８０  カード会社サーバ
１０１、１１１  プロセッサ
１０２、１１２  メモリ
１０３  バス
１０４  ネットワーク接続装置
１１３  入力装置
１１４  表示装置
１１６  無線処理装置
１１７  バス
１１８  生体情報リーダ
【図１】
2020030656.tif 000003
【図２】
2020030656.tif 000004
【図３】
2020030656.tif 000005
【図４】
2020030656.tif 000006
【図５】
2020030656.tif 000007
【図６】
2020030656.tif 000008
【図７】
2020030656.tif 000009
【図８】
2020030656.tif 000010
【図９】
2020030656.tif 000011
【図１０】
2020030656.tif 000012
【図１１】
2020030656.tif 000013
【図１２】
2020030656.tif 000014
【図１３】
2020030656.tif 000015
【図１４】
2020030656.tif 000016
【図１５】
2020030656.tif 000017
【図１６】
2020030656.tif 000018
【図１７】
2020030656.tif 000019
【図１８】
2020030656.tif 000020
【図１９】
2020030656.tif 000021
【図２０】
2020030656.tif 000022
【図２１】
2020030656.tif 000023
【図２２】
2020030656.tif 000024